(57)【特許請求の範囲】
【請求項１】
光ファイバの一端を保持する端面に斜め研磨面と未研磨面とを有する保持具と、少なくとも１枚の偏光子と少なくとも１枚のファラデー回転子を一体化し、外周側面に形成した少なくとも１辺の直線部を上記偏光子の偏光透過方向に対して所定の角度に設定した光アイソレータ素子とを備え、上記斜め研磨面と上記未研磨面との境界線に上記光アイソレータ素子の上記１辺をほぼ平行に配置するとともに、上記保持具の外側面に、上記光アイソレータ素子の偏光透過方向を表示するマーキング部を形成したことを特徴とする光アイソレータ付きレセプタクル。
【請求項２】
上記光アイソレータ素子の周囲にマグネットを配置したことを特徴とする請求項１記載の光アイソレータ付きレセプタクル。
【請求項３】
上記光アイソレータ素子におけるファラデー回転子が、四角形のヒステリシスカーブを有するガーネットであることを特徴とする請求項１または２記載の光アイソレータ付きレセプタクル。
【請求項４】
光ファイバを保持した保持具の端面に斜め研磨を施した傾斜面と未研磨面とを有し、上記傾斜面と未研磨面との境界線の方向に対して所定の角度になるように上記保持具にマーキング部を形成し、少なくとも１枚の偏光子と少なくとも１枚のファラデー回転子を一体化した光アイソレータ素子の外周側面に、入射側もしくは出射側偏光子の偏光透過方向に対して所定の角度に設定した少なくとも１辺の直線部を形成し、この直線部が上記保持具端面の上記境界線に対してほぼ平行となるように上記光アイソレータ素子を上記保持具端面に配置する工程からなる光アイソレータ付きレセプタクルの組立方法。
【発明の詳細な説明】
【０００１】
【発明の属する技術分野】
本発明は光通信に用いる光アイソレータ付きレセプタクルに関する。
【０００２】
【従来の技術】
光アイソレータは、光通信において光部品からのレーザー光源への反射戻り光の防止及び光ファイバアンプ内で光の共振発生を防止する為に使用される。
従来のレーザー光源への反射戻り光を防止する偏光依存型光アイソレータの断面図を図１０、順方向、逆方向の偏光の挙動を図１１に示す。順方向とは光アイソレータに入射した光が透過する方向を示し、逆方向とは光アイソレータに入射した光が透過しない方向を示す。図１０に示す様に光アイソレータは２枚の偏光子１ａ、１ｂの間に配置されたファラデー回転子２と該ファラデー回転子２に磁界を印加するマグネット６及び保持治具１５から構成される。
【０００３】
光アイソレータに於いて、順方向ではＬＤ１６から出射される光はレンズ１７によって平行光となり、偏光子１ａに入射する。図１１に示す様に、偏光子１ａを通過後は直線偏光となり、ファラデー回転子２で４５°偏光面を回転し、偏光子１ｂを通過する。また、逆方向では、偏光子１ｂを通過した光はファラデー回転子２で４５°回転する。しかし、ファラデー回転子２の非相反性により光は偏光子１ａの透過偏光面と直交する偏光面となるため、偏光子１ａで光は減衰し、ＬＤ１６に戻らない。これにより一方向からの光は通過させ、逆方向の光の通過を阻止する機能を果たす。
【０００４】
また、特開平１１−１１９１５５号公報、特開２０００−１６２４７５号公報には光アイソレータを光ファイバ端部に接合して用いる光ファイバ付き光アイソレータの技術を開示している。これは傾斜したキャピラリの傾斜した端面に直方体のアイソレータ素子を貼り付ける構成となっている。光アイソレータ素子１９の傾斜方向に対して長辺を配置する偏光方向判別方法が示されている。
【０００５】
図８、図９に光アイソレータ付きレセプタクルを用いたＬＤモジュールの調芯組立における、所望の光結合を得るためのＬＤ出射光１８の偏光方向１２と、光アイソレータ素子１９の入射側偏光子偏光透過方向８と、スタブ３端面の傾斜方向を示す。図８にはスタブ３端面がフラット、図９にはスタブ３端面が傾斜した場合を示す。但し、図８，９ともマグネット６を使用するが図示していない。
図８において、光ファイバ４へ最適な結合を得るためには、光アイソレータ付きレセプタクルを光軸Ｃの回転（Ｚθ）調整を行い、ＬＤ出射光１８の偏光方向１２と光アイソレータ素子１９の入射側偏光子１ａの偏光透過方向８を一致させる必要がある。
【０００６】
図９（ａ）に示すように、スネルの法則を用いて光ファイバ４（スタブ３）端面傾斜角度とファイバコアの屈折率、光アイソレータ素子１９の屈折率から、最適な結合を得るための光ファイバ４への入射方向を算出することができる。光ファイバ４への所望の結合を得るためには、ＬＤ出射光１８の光ファイバ４への入射方向とスタブ３端面の傾斜方向を一致させるとともに、ＬＤ出射光１８からの偏光方向１２と光アイソレータ素子１９の入射側偏光子１ａの偏光透過方向８を一致させる必要がある。
【０００７】
【発明が解決しようとする課題】
しかしながら、図８の場合、従来技術では光アイソレータ素子１９の形状で偏光方向を規定しているが、光アイソレータ素子１９はマグネット６に内包するため、調芯時に入射側偏光子１ａの偏光透過方向８を確認することは困難である。そのため、組立調芯装置に光アイソレータ付きレセプタクルをセットする際に、光アイソレータ素子１９の入射側偏光子１ａの偏光透過方向８を位置決めする事ができず、セットの仕方によって調芯時間ににバラツキが生じ、組立工数が増加する問題点があった。
【０００８】
同様に図９（ｂ）に示すように、ＬＤモジュールの組立調芯では光アイソレータ素子１９の入射側偏光子１ａの偏光透過方向８とスタブ３の端面３ａの傾斜方向が最適配置（直交配置）した光アイソレータ付きレセプタクルとＬＤ出射光１８の偏光方向１２を合わせる光軸Ｃの回転軸（Ｚθ）調芯が必要である。この調芯時間を短縮するためには、調芯前にＬＤ出射光１８の偏光方向１２に対してスタブ３の端面３ａの傾斜方向をあらかじめ所定の位置に設定する事が望ましいが、従来技術ではそのような具体的方法を提示していない。そのため、組立調芯装置に光アイソレータ付きレセプタクルをセットする際に、スタブ３の端面３ａの傾斜方向を所定の方向に位置決めすることができず、セットの仕方によって調芯時間にバラツキが生じ、組立工数が増加する問題点があった。
【０００９】
さらに、従来技術ではＬＤ出射光１８の偏光方向１２と入射方向に対応して、光アイソレータ素子１９の入射側偏光子１ａの偏光透過方向８とスタブ３の端面３ａの傾斜方向を所定の角度に位置決めするための具体的方法を提示していない。そのため、図９（ｃ）に示すように、光アイソレータ素子１９の入射側偏光子１ａの偏光透過方向８とスタブ３の端面３ａの傾斜方向の位置決めを精度良く行うことができず、ＬＤ出射光１８の偏光方向１２と光アイソレータ素子１９の入射側偏光子１ａの偏光透過方向８が一致しないため、光ファイバ４への結合損失を増加させる問題点があった。
【００１０】
【課題を解決するための手段】
上記課題を鑑みて本発明は、光ファイバの一端を保持する端面に斜め研磨面と未研磨面とを有する保持具と、少なくとも１枚の偏光子と少なくとも１枚のファラデー回転子を一体化し、外周側面に形成した少なくとも1辺の直線部を上記偏光子の偏光透過方向に対して所定の角度に設定した光アイソレータ素子とを備え、上記斜め研磨面と上記未研磨面との境界線に上記光アイソレータ素子の1辺をほぼ平行に配置するとともに、上記保持具の外側面に、上記光アイソレータ素子の偏光透過方向を表示するマーキング部を形成したことを特徴とする。
【００１５】
光ファイバを保持した保持具の端面に斜め研磨を施した傾斜面と未研磨面とを有し、上記傾斜面と未研磨面との境界線の方向に対して所定の角度になるように上記保持具にマーキング部を形成し、少なくとも１枚の偏光子と少なくとも１枚のファラデー回転子を一体化した光アイソレータ素子の外周側面に、入射側もしくは出射側偏光子の偏光透過方向に対して所定の角度に設定した少なくとも１辺の直線部を形成し、この直線部が上記保持具端面の上記境界線に対してほぼ平行となるように上記光アイソレータ素子を上記保持具端面に配置する工程からなる組立方法を特徴とする。
【００１６】
【発明の実施の形態】
以下、本発明の実施の形態を図によって説明する。
【００１７】
図１（ａ）に本発明の第１の実施形態である光アイソレータ付きレセプタクルの断面図を示す。光ファイバ４は保持具であるスタブ３とスリーブ５と金具２１に保持され、スタブ３の端面３ａに、２枚の偏光子１ａ，１ｂと１枚のファラデー回転子２を一体化した光アイソレータ素子１９を備え、この光アイソレータ素子１９の周囲に配置されるように、マグネット６を金具２１端面に接着固定している。そして光アイソレータ素子１９の入射側偏光子１ａの偏光透過方向８に対して所定の角度（この例では９０°）に形成したマーキング部７を金具２１外周面に形成している。そのため、ＬＤモジュール調芯組立時に金具２１外周面のマーキング部７を基準とする事により、ＬＤ出射光１８の偏光方向１２と光アイソレータ素子１９の入射側偏光子１ａの偏光透過方向８を所定の位置に配置することが可能となるため、光軸Ｃの回転（Ｚθ）調芯時間のバラツキを無くし、調芯時間を大幅に短縮する事が可能となった。なお、上記マーキング部７は入射側偏光子１ａの偏光透過方向８に合わせたが、出射側偏光子１ｂにも合わせることができる。
【００１８】
図１（ｂ）に本発明の他の実施形態である光アイソレータ付きレセプタクルの断面図を示す。光ファイバ４の保持具であるスタブ３の端面３ａは傾斜しており、この傾斜方向と金具２１の外周面に形成したマーキング部７はあらかじめ所定の角度に設定している。上記光アイソレータ素子１９の入射側偏光子１ａは、その偏光透過方向８を、スタブ３の端面３ａの傾斜方向に対して所定の角度に設定した。そのため、ＬＤモジュール調芯組立時の金具２１外周面のマーキング部７を基準とする事により、ＬＤ出射光１８の偏光方向１２と光アイソレータ素子１９の入射側偏光子１ａの偏光透過方向８を所定の位置に配置することが可能となるため、光軸Ｃの回転（Ｚθ）調芯時間のバラツキを無くし、調芯時間を大幅に短縮する事が可能となった。
【００１９】
金具２１外周面のマーキング部７とスタブ３の端面３ａの傾斜方向との位置関係は任意の方向に設定することは可能である。図１（ａ）、図１（ｂ）では、マーキング部７はスタブ３の端面３ａの傾斜方向に対して０°の位置にあるが、９０°に配置することも可能である。また、マーキング部７はマジック等や、金具２１外周面に施した任意形状、けがき線、レーザマーキング、インク転写でも可能である。図１（ｃ）には金具２１外周面の一部に平坦部を設けてマーキング部７とした場合を示す。
【００２０】
図２（ａ）に本発明の第２の実施形態である光アイソレータ付きレセプタクルの断面図と入射側偏光子１ａ方向から見た図を示す。
【００２１】
光ファイバ４の保持具であるスタブ３の端面３ａは光ファイバ４を含む斜め研磨面９と未研磨面１０を有し、それらの境界線１１に光アイソレータ素子１９の１辺をほぼ平行もしくは垂直に配置した構成である。スタブ３の端面３ａの斜め研磨面９と未研磨面１０の境界線１１はその傾斜方向に対して垂直であるため、光アイソレータ素子１９をスタブ３の端面３ａの傾斜方向に対して所定の角度に配置する際に、境界線１１を基準とする方法が好適である。
【００２２】
図２（ｂ）には、本発明の第２のその他実施形態である光アイソレータ付きレセプタクルにおいて、３枚の偏光子１、２枚のファラデー回転子２を有する、いわゆる１．５段型の光アイソレータ素子１９を搭載した場合を示す。光アイソレータ素子１９の入射側、出射側偏光子１の偏光透過方向８を直交させる場合は２枚のファラデー回転子２に磁界を印可する方向を同一にすることにより達成でき、光アイソレータ素子１９の入射側、出射側偏光子１の偏光透過方向８を同一にする場合はマグネット６を分割し、２枚のファラデー回転子２に磁界を印可する方向を逆向きにすることにより達成できる。図２（ｃ）には、本発明の第２のその他実施形態である光アイソレータ付きレセプタクルにおいて、４枚の偏光子１、２枚のファラデー回転子２を有する、いわゆる２段型の光アイソレータ素子１９を搭載した場合を示す。光アイソレータ素子１９の入射側、出射側偏光子１との偏光透過方向の制御は１．５段型と同様である。
【００２３】
図３に本発明の第３の実施形態である光アイソレータ付きレセプタクルの断面図と入射側偏光子１ａ方向から見た図を示す。上記光アイソレータ素子１９の外周側面に形成した少なくとも１辺の直線部２０を、入射側偏光子１ａの偏光透過方向８に対して所定の角度に設定した構成である。図３（ａ）には光アイソレータ素子１９を入射側偏光子１ａ方向から見て少なくとも１辺の直線部を有する形状で、三角形以上の多角形や円弧状の形状にカットした場合を示す。図３（ｂ）には、四角形状の光アイソレータ素子１９の外周側面の直線部２０が、入射側偏光子１ａの偏光透過方向８に対して平行、直交、４５度の角度を呈している場合を示す。直線部２０を境界線１１に対して平行に配置する事により、スタブ３の端面傾斜方向と光アイソレータ素子１９の入射側偏光子１ａの偏光透過方向８を精度良く一致させることができるため、取り付け精度が向上し、結合損失のばらつきを改善することができる。
【００２４】
本発明でレセプタクルに使用するスタブ３はジルコニアやアルミナセラミックスの他、ガラス製や樹脂製も使用可能である。スリーブ５は円筒スリーブや割スリーブ、複数点支持スリーブが使用可能で、材質はジルコニアやアルミナセラミックスの他燐青銅などの金属も使用可能である。金具２１については、ＬＤモジュールとのＹＡＧ溶接接合可能な金属が望ましい。また、図示はしていないが、スタブ３の傾斜面３ａの反対側には光ファイバ付きコネクタが嵌合され、不図示のレーザダイオード（ＬＤ）から発光される信号光を伝送できるようになっている。コネクタとの低接続損失を維持するためにスタブ３のコネクタ接続面はＰＣ研磨や、加工変質層を除去したＰＣ研磨、端面の近端反射を防ぐために斜め研磨、斜めＰＣ研磨が施されている。また、レセプタクルに嵌合されるコネクタにはＦＣコネクタ、ＳＣコネクタ、ＭＵコネクタ、ＬＣコネクタ等が用いられる。
【００２５】
本発明に用いる偏光子１にはガラス基板に誘電体粒子を内包するタイプや誘電体積層タイプなどの透過偏光方向と直交する偏光方向を吸収する偏光子の他に、複屈折結晶などの偏光を分離して反射戻り光をＬＤの光路からずらす偏光子でも実施可能である。
【００２６】
また、ファラデー回転子２はＴｂ、Ｇｄ、Ｈｏを添加したＢｉ置換ガーネットやＹＩＧガーネットでも実施可能である。
【００２７】
図４に本発明の第４の実施形態である光アイソレータ付きレセプタクルの断面図を示す。ファラデー回転子２は四角形のヒステリシスカーブを持ち、自己磁界を有するガーネットでも実施可能である。四角形のヒステリシスカーブを持ち、自己磁界を有するガーネットの場合は、マグネット６が不要となるために部品点数、工数を削減できる効果がある。図４（ａ）には、２枚の偏光子１、１枚のファラデー回転子１を有する、いわゆる１段型の光アイソレータ素子１９を搭載した場合を示す。図４（ｂ）には、３枚の偏光子１、２枚のファラデー回転子２を有する、いわゆる１．５段型の光アイソレータ素子１９を搭載した場合を示す。
【００２８】
光アイソレータ素子１９の入射側、出射側偏光子１の偏光透過方向８を直交させる場合は２枚のファラデー回転子２の回転方向をを同一にすることにより達成でき、光アイソレータ素子１９の入射側、出射側偏光子１の偏光透過方向８を同一にする場合は２枚のファラデー回転子２の回転方向を逆向きにすることにより達成できる。図４（ｃ）には、４枚の偏光子１、２枚のファラデー回転子２を有する、いわゆる２段型の光アイソレータ素子１９を搭載した場合を示す。光アイソレータ素子１９の入射側、出射側偏光子１との偏光透過方向８の制御は１．５段型と同様である。
【００２９】
図５に本発明の第５の実施形態である光アイソレータ付きレセプタクルの断面図と入射側偏光子１ａ方向から見た図を示し、本発明光アイソレータ付きレセプタクルに光結合するための、ＬＤモジュールの調芯前後における、ＬＤ出射光１８の偏光方向１２と、光アイソレータ素子１９の入射側偏光子１ａの偏光透過方向８と、スタブ３の端面傾斜方向とマーキング部７の位置を示す。
【００３０】
光ファイバ４を保持するスタブ３の端面３ａを傾斜面とし、その傾斜方向に対して所定の角度になるように金具２１の外周面にマーキング部７を形成し、２枚の偏光子１ａ，１ｂと１枚のファラデー回転子２を一体化した光アイソレータ素子１９は、該光アイソレータ素子１９の周囲にマグネット６を配置してなり、光アイソレータ１９の外周側面に、入射側偏光子１ａの偏光透過方向８に対して平行に設定した少なくとも１辺の直線部２０を形成し、この直線部２０がスタブ３の端面に形成された斜め研磨面９と未研磨面１０の境界線１１に対して平行に配置する工程からなる組立方法を示す。
【００３１】
これにより、ＬＤモジュール調芯組立時の金具２１外周部のマーキング部７に対して、ＬＤ出射光１８の偏光方向１２と光アイソレータ素子１９の入射側偏光子１ａの偏光透過方向８を所定の位置に配置することが可能となるため、光軸Ｃの回転（Ｚθ）調芯時間のバラツキを無くし、調芯時間を大幅に短縮する事が可能となった。さらに、スタブ３の端面傾斜方向と光アイソレータ素子１９の入射側偏光子１ａの偏光透過方向８を精度良く一致させることができるため、取り付け精度が向上し、結合損失のばらつきを改善することができた。
【００３２】
本発明では、図６（ａ）に示した様に、あらかじめスタブ３端面傾斜方向を所定の方向に設定できるよう、金具２１外周部の一部にマーキング部７として平面部を施した。スタブ３端面は図６（ｂ）に示すように金具２１外周平面部７を基準として研磨するため、スタブ３の端面研磨方向と金具２１外周平面部７は一定の位置関係となる。
【００３３】
図６（ｃ）の配置では、スタブ３端面傾斜方向と金具２１外周平面部７は常に同一方向に設定でき、研磨時間等の制御により未研磨部を設定することによって、研磨面９と未研磨面１０との境界線１１はスタブ３の端面傾斜方向と常に直交し、かつ金具２１外周平面部７と平行になる。
【００３４】
図７には本発明にかかる第５の実施形態におけるその他の実施例を示す。図７（ａ）には、３枚の偏光子１、２枚のファラデー回転子２を有する、いわゆる１．５段型の光アイソレータ素子１９を搭載した場合を示す。光アイソレータ素子１９の入射側、出射側偏光子１の偏光透過方向を直交させる場合は２枚のファラデー回転子２に磁界を印可する方向を同一にすることにより達成でき、光アイソレータ素子１９の入射側、出射側偏光子１の偏光透過方向を同一にする場合はマグネット６を分割し、２枚のファラデー回転子２に磁界を印可する方向を逆向きにすることにより達成できる。図７（ｂ）には、４枚の偏光子１、２枚のファラデー回転子２を有する、いわゆる２段型の光アイソレータ素子１９を搭載した場合を示す。光アイソレータ素子１９の入射側、出射側偏光子１との偏光透過方向の制御は１．５段型と同様である。
【００３５】
本発明第４の実施形態を除く本発明の全ての構造は、マグネット６はスタブ３突出部を内包して金具２１端面に固定される。このときスタブ３突出部はマグネット６内径のガイドとなり、マグネット６が金具２１外径から飛び出さない防止機構の役割を果たしている。
【００３６】
【実施例】
ここで、本発明におけるサンプル試作を行った。
ガラス基板に金属等の誘電体を内包した偏光子１とファラデー回転子２のウエハーを接着剤で固定し、このアッシーともう一枚偏光子１を光学調整した後、接着剤で固定して光アイソレータ用ウエハーを作製した。このとき、ＬＤ出射光が入射する側の偏光子１ａの光通過面には対空気ＡＲコートが施され、ファラデー回転子２の光通過面の両面には対接着剤ＡＲコートが施されている。
【００３７】
レセプタクルはスリーブ５を圧入固定した金具２１に、スタブ３を圧入固定する。スタブ３にはあらかじめ、光ファイバ４が挿入されて接着剤で固定される。金具２１外周の一部には平坦部のマーキング部７が施されている。スタブ３端面は光ファイバ４を含む面が８度に斜め研磨され、未研磨面１０との境界線１１は傾斜方向に直交している。作製したウエハーは、ダイシング等で光通過面側が０．５×０．６ｍｍの長方形になるようにカットして作製した。作製した光アイソレータ素子１９の入射側偏光子１ａの偏光透過方向８は短辺に対して平行になるよう設定した。光アイソレータ素子１９の短辺をスタブ３の境界線１１に平行に配置して接着剤で固定した。光アイソレータ素子１９をスタブ３端面に固定した後、スタブ３を円筒型マグネット６の内径に嵌合するように配置し、磁石６端面と金具２１端面を接着剤で固定した。本発明にかかるサンプルの特性評価は挿入損失が平均値で０．５５ｄＢ、アイソレーションが４５．７ｄＢと所望の規格を十分満足する結果となった。
【００３８】
さらに、金具２１外周にマーキングである平坦部７を施した本発明の光アイソレータ付きレセプタクルと、マーキングを施していない製品で、ＬＤチップとレンズを用いて組立調芯を行い、調芯タクトの比較を行った。従来例では調芯時間に平均で約５分に対し、本発明では約２分と半分以下にタクト短縮が可能となった。
【００３９】
【発明の効果】
以上のように本発明によれば、光ファイバを保持する保持具の端面を傾斜面とし、その傾斜方向に対して所定の角度になるように保持具にマーキング部を形成し、少なくとも１枚の偏光子と少なくとも１枚のファラデー回転子を一体化した光アイソレータ素子の外周側面に、入射側もしくは出射側偏光子の偏光透過方向に対して所定の角度に設定した少なくとも１辺の直線部を形成し、この直線部が保持具端面の傾斜方向に対して所定の角度となるように上記光アイソレータ素子を保持具端面に配置する工程からなる光アイソレータ付きレセプタクルの組立方法で作製することにより、光軸の回転調芯時間のバラツキを無くし、調芯時間を大幅に短縮する事が可能となった。さらに、保持具の端面傾斜方向と光アイソレータ素子の入射側偏光子の偏光透過方向を精度良く一致させることができるため、取り付け精度が向上し、結合損失のばらつきを改善することができた。また、光アイソレータ素子において、角形のヒステリシスカーブを有するファラデー回転子を使用することにより、マグネットが不要となり、部品点数の削減ができる効果がある。
【図面の簡単な説明】
【図１】（ａ）〜（ｃ）は本発明の光アイソレータ付きレセプタクルの断面図と、ＬＤ偏光方向と光アイソレータ偏光方向とスタブ端面研磨傾斜方向とマーキング部との位置関係を示す図である。
【図２】（ａ）は本発明の他の実施形態である光アイソレータ付きレセプタクルの断面図とスタブ端面方向から見た図、（ｂ）、（ｃ）は本発明の他の実施形態を示す断面図である。
【図３】（ａ）、（ｂ）は本発明の光アイソレータ付きレセプタクルのスタブ端面方向から見たさまざまな実施形態の図である。
【図４】（ａ）〜（ｃ）は本発明の他の実施形態である光アイソレータ付きレセプタクルの断面図とスタブ端面方向から見た図である。
【図５】本発明の他の実施形態である光アイソレータ付きレセプタクルの断面図と、ＬＤ偏光方向と入射方向とアイソレータ入射側偏光子の偏光透過方向とスタブ傾斜方向との位置関係を示す図である。
【図６】（ａ）〜（ｃ）は本発明にかかるレセプタクルの製造方法を説明するための断面図である。
【図７】（ａ）〜（ｂ）は本発明の他の実施形態である光アイソレータ付きレセプタクルの断面図とスタブ方向から見た図である。
【図８】光アイソレータ付きレセプタクルの断面図とＬＤ偏光方向とアイソレータ偏光方向との位置関係を示す図である。
【図９】（ａ）〜（ｃ）は光アイソレータ付きレセプタクルの断面図と、ＬＤ偏光方向と入射方向とアイソレータ入射側偏光子の偏光透過方向とスタブ傾斜方向との位置関係を示す図である。
【図１０】従来の偏光依存型光アイソレータの断面図である。
【図１１】偏光依存型光アイソレータに於ける、順方向及び逆方向の偏光の挙動を示す図である。
【符号の説明】
１：偏光子
１ａ：入射側偏光子
１ｂ：出射側偏光子
２：ファラデー回転子
３：スタブ
４：光ファイバ
５：スリーブ
６：マグネット
７：マーキング部
８：偏光透過方向
９：スタブ端面研磨部
１０：スタブ端面未研磨部
１１：境界線
１２：ＬＤ出射光の偏光方向
１３：研磨装置
１４：アイソレータ取り付け治具
１５：保持金具
１６：ＬＤ
１７：レンズ
１８：ＬＤ出射光
１９：光アイソレータ素子
２０：直線部
２１：金具
Ｃ：光軸
【図１】
0004548988.tif 000002
【図２】
0004548988.tif 000003
【図３】
0004548988.tif 000004
【図４】
0004548988.tif 000005
【図５】
0004548988.tif 000006
【図６】
0004548988.tif 000007
【図７】
0004548988.tif 000008
【図８】
0004548988.tif 000009
【図９】
0004548988.tif 000010
【図１０】
0004548988.tif 000011
【図１１】
0004548988.tif 000012